(57)【要約】【課題】安全帯を所定位置に確実に保持させて、現場作業者が足場板から墜落するのを防止することのできる仮設足場用手摺枠を提供する。【解決手段】本発明の仮設足場用手摺枠１１は、左右一対の縦材１２と、略水平方向に延びて形成され、両縦材１２の上部を連結するとともに現場作業者の安全帯Ｓが掛けられる水平材１３とを備え、所定の間隔を隔てて対向配置される建枠１の縦支柱２に、両縦材１２がそれぞれ固定支持されることにより、両建枠１間に取付けられるものであり、水平材１３の端部近傍には、安全帯Ｓが水平材１３の端部側に移動することを阻止するための突出部２１が形成されている。【選択図】図２
2015148131.tif 000002
【特許請求の範囲】
【請求項１】
左右一対の縦材と、略水平方向に延びて形成され、前記両縦材の上部を連結するとともに現場作業者の安全帯が掛けられる水平材とを少なくとも備え、
所定の間隔を隔てて対向配置される建枠の縦支柱に、前記両縦材がそれぞれ固定支持されることにより、前記両建枠間に取付けられる仮設足場用手摺枠であって、
前記水平材の端部近傍には、前記安全帯が前記水平材の端部側に移動することを阻止するための突出部が形成されていることを特徴とする、仮設足場用手摺枠。
【請求項２】
前記突出部は、
前記縦材が前記水平材の高さ位置より上方に所定量突出していることにより形成されている、請求項１に記載の仮設足場用手摺枠。
【請求項３】
前記突出部は、
前記水平材が前記縦材の固定支持位置より略水平方向の外側に所定量突出していることにより形成されている、請求項１に記載の仮設足場用手摺枠。
【請求項４】
前記水平材の端部近傍位置より内側であって、前記水平材の表面から上方または下方に所定量突出した他の突出部が形成されている、請求項１ないし３のいずれかに記載の仮設足場用手摺枠。
【請求項５】
前記縦材と前記水平材とは、一体的に形成されている、請求項１ないし４のいずれかに記載の仮設足場用手摺枠。
【発明の詳細な説明】
【技術分野】
【０００１】  本発明は、例えば建築現場等で組み立てられる仮設足場において、現場作業者が足場板から墜落するのを防止するための仮設足場用手摺枠に関するものである。
【背景技術】
【０００２】  従来、仮設足場は、例えばビル等の建築工事現場において建築物に沿うようにして設けられ、現場作業者が建築物の補修等の工事を行うために用いられる（例えば特許文献１参照）。【０００３】  仮設足場には、建枠を対向して配置させ、両建枠の間に主に現場作業者が通行するための足場板が敷設されるといった枠組足場が知られている。そして、この枠組足場には、現場作業者が足場板から墜落するのを防止するための仮設足場用手摺枠（以下、単に「手摺枠」という）が取付けられる。【０００４】  図８は、枠組足場において建枠及びそれに取付けられた従来の手摺枠を示す斜視図である。枠組足場では、複数の建枠３１が所定の間隔を隔てて対向するように立設される。建枠３１は、いわゆる鳥居型に形成されており、２本の縦支柱３２と、縦支柱３２の上端同士を連結する横架材３３とを有している。隣り合う建枠３１の横架材３３同士には、足場板３４が架け渡されている。【０００５】  隣り合う建枠３１には、それらの長手方向に沿って手摺枠３５が取付けられる。手摺枠３５は、図９に示すように、上下方向に延びた２本の縦材３６と、両縦材３６の間に水平方向に延びた水平材３７、中さん３８及び下さん３９と、これらを連結した補強材４０とを備えている。両縦材３６には、建枠３１に取付けるための複数の取付部材４１が設けられている。この手摺枠３５では、両縦材３６と水平材３７の両端との接続部分が湾曲状に形成されている。【０００６】  例えば図８に示した枠組足場において現場作業者が妻側に建枠３１を取付ける際、妻側には現場作業者を支持する部材がないため、妻側から墜落するおそれがある。そのため、現場作業者は、手摺枠３５の水平材３７に安全帯ＳのフックＦを掛けて作業を行う（図９参照）。【０００７】  ところが、従来の手摺枠３５では、水平材３７の両端が湾曲状に形成されているため、安全帯Ｓが水平材３７の端部側に引っ張られると、図１０に示すように、水平材３７に掛けられた安全帯Ｓが中さん３８まで落下する。そのため、安全帯Ｓは、中さん３８と衝突し、その際の衝撃荷重によって破損したりフックＦが外れたりし、現場作業者が安全帯Ｓごと墜落してしまうおそれがあった。
【先行技術文献】
【特許文献】
【０００８】
【特許文献１】特許第２５９４５３０号公報
【発明の概要】
【発明が解決しようとする課題】
【０００９】  本発明は、上記した事情のもとで考え出されたものであって、安全帯を所定箇所（水平材）に確実に保持させて、現場作業者が足場板から墜落するのを防止することのできる仮設足場用手摺枠を提供することをその課題とする。
【課題を解決するための手段】
【００１０】  本発明によって提供される仮設足場用手摺枠は、左右一対の縦材と、略水平方向に延びて形成され、前記両縦材の上部を連結するとともに現場作業者の安全帯が掛けられる水平材とを少なくとも備え、所定の間隔を隔てて対向配置される建枠の縦支柱に、前記両縦材がそれぞれ固定支持されることにより、前記両建枠間に取付けられる仮設足場用手摺枠であって、前記水平材の端部近傍には、前記安全帯が前記水平材の端部側に移動することを阻止するための突出部が形成されていることを特徴としている。【００１１】  本発明の仮設足場用手摺枠において、前記突出部は、前記縦材が前記水平材の高さ位置より上方に所定量突出していることにより形成されているとよい。【００１２】  本発明の仮設足場用手摺枠において、前記突出部は、前記水平材が前記縦材の固定支持位置より略水平方向の外側に所定量突出していることにより形成されているとよい。【００１３】  本発明の仮設足場用手摺枠において、前記水平材の端部近傍位置より内側であって、前記水平材の表面から上方または下方に所定量突出した他の突出部が形成されているとよい。【００１４】  本発明の仮設足場用手摺枠において、前記縦材と前記水平材とは、一体的に形成されているとよい。
【発明の効果】
【００１５】  本発明によれば、水平材の端部近傍に、安全帯が水平材の端部側に移動することを阻止するための突出部が形成されているので、現場作業者が水平材に安全帯を掛けたとき、水平材の端部側に安全帯が移動したとしても、突出部によって端部側への移動が阻止されるので、例えば中さん側に安全帯が落下することはない。したがって、安全帯が中さんに衝突して破損したり外れたりすることはなく、安全帯を水平材に確実に保持させることができ、現場作業者が足場板から墜落するのを防止することができる。
【図面の簡単な説明】
【００１６】
【図１】本発明の第１実施形態に係る仮設足場用手摺枠が枠組足場に取付けられた状態を示す斜視図である。
【図２】図１に示す仮設足場用手摺枠が枠組足場に取付けられた状態を示す要部正面図である。
【図３】図１に示す仮設足場用手摺枠の突出部の作用を説明するための図である。
【図４】本発明の第２実施形態に係る仮設足場用手摺枠が枠組足場に取付けられた状態を示す斜視図である。
【図５】図４に示す仮設足場用手摺枠の突出部の作用を説明するための図である。
【図６】仮設足場用手摺枠の変形例を示す要部側面図である。
【図７】仮設足場用手摺枠の変形例を示す要部側面図である。
【図８】従来の仮設足場用手摺枠が枠組足場に取付けられた状態を示す斜視図である。
【図９】従来の仮設足場用手摺枠が枠組足場に取付けられた状態を示す要部正面図である。
【図１０】従来の仮設足場用手摺枠の作用を説明するための図である。
【発明を実施するための形態】
【００１７】  以下、本発明の実施の形態につき、図面を参照して具体的に説明する。
【００１８】  図１は、本発明の第１実施形態に係る仮設足場用手摺枠が枠組足場に取付けられた状態を示す斜視図である。図２は、図１に示す仮設足場用手摺枠が枠組足場に取付けられた状態を示す正面図である。
【００１９】  本発明に係る仮設足場用手摺枠（以下、単に「手摺枠」という）１１は、例えば図１に示す枠組足場Ａに適用される。枠組足場Ａは、建築物（図略）に沿うように設けられ、所定の間隔を隔てて平行配置されるとともに上方に連結される複数の建枠１を備えている。各建枠１は、いわゆる鳥居状に形成されており、２本の縦支柱２と、両縦支柱２の上端同士を連結する横架材３と、両縦支柱２の上部及び横架材３の連結部分を補強するための補強材４とを備えている。
【００２０】  補強材４は、縦支柱２と横架材３とを連結するように略Ｌ字状に形成されたＬ字状部材５と、Ｌ字状部材５及び縦支柱２を結ぶ２本の連結棒６とを有している。
【００２１】  枠組足場Ａでは、隣り合う建枠１同士の間で、複数の足場板７が架け渡されるようにして設けられている。足場板７は、その上を現場作業者が歩行したり作業したりするためのものである。足場板７は、平板状に形成され、その両端に複数のつかみ部材８が設けられている。つかみ部材８は、先端がフック状に形成され、これが建枠１の横架材３に掛止されることにより、足場板７が建枠１に支持される。
【００２２】  本発明の手摺枠１１は、枠組足場Ａの長手方向に沿って建築物とは反対側に設けられるものであり、現場作業者が足場板７から墜落するのを防止するためのものである。特に、上記手摺枠１１は、下層にいる現場作業者によって上層の建枠１に取付けられるものであり、いわゆる先行型の手摺枠である。
【００２３】  手摺枠１１は、アルミニウム合金製又は鋼製であり、図２に示すように、所定の間隔を隔てて平行に配置された左右一対の縦材１２を有している。縦材１２は、丸パイプによってそれぞれ形成され、両縦材１２には、両縦材１２同士を連結するための水平材１３、中さん１４、及び下さん１５が例えば溶接等で接続されて設けられている。水平材１３、中さん１４、及び下さん１５は、略水平方向に延びた丸パイプによってそれぞれ形成され、水平材１３は縦材１２の上部、中さん１４は縦材１２の中央部、下さん１５は縦材１２の下部にそれぞれ接続されている。
【００２４】  中さん１４及び下さん１５の間には、２本の補強柱１６がそれぞれ連結されている。補強柱１６は、丸パイプからなり、上下方向に延びて両縦材１２の間でほぼ等間隔に配置されている。
【００２５】  各縦材１２には、この手摺枠１１を枠組足場Ａに取付けるための取付部材群１７がそれぞれ設けられている。取付部材群１７は、保持部材１８、位置決め部材１９、及び固定部材２０とからなる。
【００２６】  保持部材１８は、縦材１２の上部に設けられ、縦材１２との接触部を中心にして所定角度（約９０度）に回動自在とされている。位置決め部材１９は、縦材１２の下部に設けられ、平面視で略Ｌ字状に形成されかつその先端はフック状に形成されている。位置決め部材１９は、その先端を建枠１の横架材３に掛止させるものである。
【００２７】  固定部材２０は、位置決め部材１９の下方に設けられ、手摺枠１１を縦支柱２に固定させるためのものである。固定部材２０は、詳細には図示しないが、上下一対の平板部材、両平板部材に挟持された略コ字状部材、及び略コ字状部材に形成された孔を水平方向に貫通するくさび部材とからなる。固定部材２０は、左右の縦材１２における高さ位置がずれて設けられている。
【００２８】  現場作業者が手摺枠１１を枠組足場Ａに取付ける際には、まず位置決め部材１９の先端を建枠１の横架材３に掛止させ、固定部材２０を縦支柱２に固定させる。そして、保持部材１８を上下方向に延びた状態から回動させて水平方向にし、縦支柱２に保持させる。
【００２９】  本実施形態の手摺枠１１では、両縦材１２の上部に、水平材１３の高さ位置から上方に向けて所定量突出された突出部２１が設けられている。突出部２１の長さＬ（水平材１３の最上端から縦材１２の上端までの長さ、図３（ａ）参照）は、約５０ｍｍとされている。すなわち、突出部２１の長さＬは、安全帯ＳのフックＦの幅より大とされており、安全帯Ｓが水平材１３の端部側に引っ張られた場合に、安全帯ＳのフックＦが突出部２１の上端を乗り越えないような長さに設定されている（図３（ｂ）参照）。なお、安全帯Ｓは、種類によってフックＦの形状や大きさ等は異なるが、本実施形態においては汎用的に用いられる一般的な安全帯を想定している。
【００３０】  この実施形態の手摺枠１１では、突出部２１を有する縦材１２は、水平材１３とは別部材で構成されている。そのため、手摺枠１１は、例えば従来の構成の手摺枠３５のように、曲げ加工を用いて縦材３６と水平材３７とを一体的に形成する場合に比べ、製作が容易であるといった利点がある。なお、縦材１２と水平材１３とは、一体的に形成されてもよい。
【００３１】  次に、本実施形態に係る手摺枠１１の作用について説明する。
【００３２】  枠組足場Ａにおいては、現場作業者が足場組立て時に最上層の足場板７上で、妻側に新たに建枠１を設置したり、あるいは足場解体時に妻側の建枠１を取り外したりする場合がある。このような場合、現場作業者は、手摺枠１１の水平材１３に安全帯ＳのフックＦを掛けるが、作業状況により安全帯Ｓが水平材１３の端部側に移動することがある。
【００３３】  従来の構成の手摺枠３５では（図９参照）、水平材３７の両端が湾曲状に形成されているため、安全帯Ｓが水平材３７の端部側に移動すると、安全帯Ｓが中さん３８まで落下して中さん３８と衝突する。それによって安全帯Ｓには衝撃荷重が加えられ、安全帯Ｓが破損したりフックＦが外れたりすることがある。そのため、安全帯Ｓが手摺枠３５から外れ、現場作業者が足場板３４から墜落するおそれがあった。
【００３４】  本実施形態では、手摺枠１１の縦材１２の上部に、水平材１３の高さ位置より所定量上方に突出した突出部２１が形成されており、突出部２１は、その長さＬが安全帯ＳのフックＦの幅より長く形成されている。そのため、安全帯Ｓが水平材１３の端部側に移動した場合であっても（図３（ｂ）の矢印Ｐ参照）、安全帯ＳのフックＦは、突出部２１に当接して止まり、突出部２１を乗り越えることがない。すなわち、安全帯Ｓは、突出部２１によって水平部材１３の外側に移動することが阻止される。
【００３５】  よって、安全帯Ｓは、中さん１４まで落下することはなく、中さん１４と衝突することもない。したがって、手摺枠１１は、安全帯Ｓを水平材１３に確実に保持させることができ、安全帯Ｓの本来の機能を発揮させることができる。よって、現場作業者が足場板７から墜落することを防止することができる。
【００３６】  図４は、本発明の第２実施形態に係る手摺枠を示す正面図である。
【００３７】  第２実施形態に係る手摺枠２２は、突出部２１が上方に延びている第１実施形態に対して、突出部２３が水平方向に延びている点で第１実施形態の手摺枠１１と異なる。すなわち、第２実施形態の手摺枠２２では、第１実施形態の突出部２１に代えて、水平材１３の両端に、縦材１２の固定支持位置から略水平方向の外側に向けて所定量突出された突出部２３がそれぞれ設けられている。その他の構成については、第１実施形態の手摺枠１１と略同様である。
【００３８】  突出部２３の長さＬ（縦材１２の最右端又最左端から水平材１３の右端又は左端までの長さ、図５（ａ）参照）も、約５０ｍｍとされており、安全帯Ｓが手摺枠１１の外側に引っ張られた場合に、安全帯ＳのフックＦが突出部２３の右端又は左端から外れないような長さに設定されている。
【００３９】  この第２実施形態における手摺枠２２では、安全帯Ｓが水平材１３の端部側に移動した場合であっても、安全帯ＳのフックＦは、突出部２３に引っ掛かり中さん１４に落下することはない。すなわち、安全帯Ｓが水平材１３の端部側に移動した場合、図５（ａ）に示すように、安全帯Ｓは、一旦縦材１２の内側で止まるが、その後、反動により安全帯ＳのフックＦが水平材１３の端部より外側に移動する場合がある（図５（ｂ）参照）。本第２実施形態では、このような場合であっても、突出部２３にフックＦが引っ掛かり、中さん１４に落下することはない。したがって、手摺枠２２は、安全帯Ｓを水平材１３に確実に保持させることができ、現場作業者が足場板７から墜落することを防止することができる。
【００４０】  なお、本発明の範囲は上述した実施の形態に限定されるものではなく、発明の範囲を逸脱しない範囲で種々の変更を行うことができる。例えば図６及び図７に示すように、種々の形態に変更可能である。すなわち、同一手摺枠において突出部２１が設けられるとともに、突出部２３が設けられていてもよい（図６（ａ）参照）。これにより、安全帯Ｓをより一層確実に水平材１３に保持させることができる。
【００４１】  また、突出部２１及び突出部２３の他に、水平材３の上表面であって縦材１２の内側部分に、他の突出部２４がさらに設けられていてもよい。例えば、突出部２１が設けられるとともに、他の突出部２４が設けられていてもよい（図６（ｂ）参照）。あるいは、突出部２３が設けられるとともに、他の突出部２４が設けられていてもよい（図６（ｃ）参照）。さらに、同一手摺枠において突出部２１及び突出部２３が設けられるとともに、他の突出部２４が設けられていてもよい（図６（ｄ）参照）。
【００４２】  さらには、突出部２１及び突出部２３がなく、他の突出部２４のみが設けられていてもよい（図７（ａ）参照）。あるいは、水平材１３及び縦材１２の接続部分が湾曲状に形成され、湾曲状部分の近傍に他の突起部２４が設けられていてもよい（図７（ｂ）参照）。また、他の突出部２４が上方に突出している形態に代えて、図７（ｃ）に示すように、水平材３の下表面から下方に向けて突出し中さん１４まで延びた他の突出部２５が設けられていてもよい。
【００４３】  また、上記実施形態における手摺枠１１，２２及び突出部２１，２３，２４，２５の形状、大きさ、数量等は、上記実施形態に限るものではなく、適宜設計変更可能である。
【符号の説明】
【００４４】  １    建枠
２    縦支柱
１１，２２    仮設足場用手摺枠
１２    縦材
１３    水平材
１４    中さん
１５    下さん
１７    取付部材群
２１，２３    突出部
２４，２５    他の突出部
Ａ    枠組足場
Ｓ    安全帯
Ｆ    フック
【図１】
2015148131.tif 000003
【図２】
2015148131.tif 000004
【図３】
2015148131.tif 000005
【図４】
2015148131.tif 000006
【図５】
2015148131.tif 000007
【図６】
2015148131.tif 000008
【図７】
2015148131.tif 000009
【図８】
2015148131.tif 000010
【図９】
2015148131.tif 000011
【図１０】
2015148131.tif 000012